(57)【要約】【課題】グリースやオイルを使用せずにブシュと連結ピンとの間の摩耗による金属の摩耗粉の発生を抑制するとともに搬送物への異物混入を防止する搬送用無給油コンベヤチェーンを提供すること。【解決手段】搬送方向Ｙ１に対して左右一対に配設した内リンクプレート１１０と、この内リンクプレートのブシュ孔１１１にブシュ端部１３１側を圧入するブシュ１３０と、左右一対の内リンクプレートの両外側にそれぞれ配設する左右一対の外リンクプレート１２０と、ブシュに回転自在に挿通して外リンクプレートのピン孔１２１にピン端部１４１側を圧入する連結ピン１４０と、この連結ピンとブシュとの間に配設した潤滑剤Ｍ１とを備え、この潤滑剤Ｍ１が、搬送物と同じ成分を有する粉粒体であり連結ピン１４０とブシュ１３０との間の隙間（Ｌ２ａ、Ｌ２ｂの和）より小さい粒径Ｌ１で設けられていることを特徴とする搬送用無給油コンベヤチェーン１００。【選択図】図３
2014051386.tif 000002
【特許請求の範囲】
【請求項１】
非金属の粉粒状の搬送物を搬送方向へ搬送するコンベヤの搬送用無給油コンベヤチェーンにおいて、
前記搬送方向に対して左右一対に配設した内リンクプレートと、該内リンクプレートのブシュ孔にブシュ端部側を圧入するブシュと、前記左右一対の内リンクプレートの両外側にそれぞれ配設する左右一対の外リンクプレートと、前記ブシュに回転自在に挿通して外リンクプレートのピン孔にピン端部側を圧入する連結ピンと、該連結ピンとブシュとの間に配設した潤滑剤とを備え、
該潤滑剤が、前記搬送物と同じ成分を有する粉粒体であり連結ピンとブシュとの間の隙間より小さい粒径で設けられていることを特徴とする搬送用無給油コンベヤチェーン。
【請求項２】
前記内リンクプレートと外リンクプレートとの間に配設した金属特性を有する樹脂またはゴム製のＯリングが、前記連結ピンに挿通されているとともに、前記ブシュの内周面よりブシュ外周側で内リンクプレートおよび外リンクプレートと接触して設けられていることを特徴とする請求項１に記載の搬送用無給油コンベヤチェーン。
【請求項３】
前記ブシュ端部が、前記内リンクプレートの外側面から外リンクプレート側に突出して設けられていることを特徴とする請求項１または請求項２に記載の搬送用無給油コンベヤチェーン。
【請求項４】
前記潤滑剤の硬度が、前記連結ピンの硬度およびブシュの硬度より低く設けられていることを特徴とする請求項１乃至請求項３のいずれか１つに記載の搬送用無給油コンベヤチェーン。
【請求項５】
前記搬送物が、砂糖であり、前記潤滑剤が、前記砂糖の種類の中のグラニュー糖であることを特徴とする請求項１乃至請求項４のいずれか１つに記載の搬送用無給油コンベヤチェーン。
【発明の詳細な説明】
【技術分野】
【０００１】
本発明は、非金属の粉粒状の搬送物を搬送方向へ搬送するコンベヤの搬送用無給油コンベヤチェーンに関する。
【背景技術】
【０００２】
従来、搬送用コンベヤチェーンや無給油チェーンが知られている（例えば、特許文献１乃至特許文献３）。
このような従来の搬送用コンベヤチェーンとして、例えば、図５に示すような搬送用コンベヤチェーン５００がある。
ここで、図５は、従来の第１の態様の搬送用コンベヤチェーン５００の要部拡大一部断面平面図である。
【０００３】
従来の第１の態様の搬送用コンベヤチェーン５００は、図５に示すように、それぞれ金属で形成された一対の内リンクプレート５１０と、一対の外リンクプレート５２０と、ブシュ５３０と、連結ピン５４０と、ローラ５５０とを備えていた。
このうち、一対の外リンクプレート５２０は、一対の内リンクプレート５１０の両外側に配設されていた。
また、ブシュ５３０のブシュ端部５３１は、内リンクプレート５１０のブシュ孔５１１に圧入されていた。
さらに、連結ピン５４０は、ブシュ５３０に回動自在に挿通され、連結ピン５４０のピン端部５４１は、外リンクプレート５２０のピン孔５２１に圧入されていた。
また、ローラ５５０は、ブシュ５３０の外周に回動自在に配設されていた。
【０００４】
従来の第２の態様の無給油チェーンは、一対の内リンクプレートと、一対の外リンクプレートと、ブシュと、連結ピンと、グラファイトシートで形成された摺動部材とを備えていた。
このうち、一対の内リンクプレート、一対の外リンクプレート、ブシュおよび連結ピンの構成は上述した従来の第１の態様の搬送用コンベヤチェーンと同様である。
また、グラファイトシートで形成された摺動部材は、ブシュと連結ピンとの間に配設されていた。
【０００５】
また、従来の第３の態様の無給油チェーンは、一対の内リンクプレートと、一対の外リンクプレートと、ブシュと、連結ピンと、Ｏリングと、シールプレートとを備えていた。
このうち、一対の内リンクプレート、一対の外リンクプレート、ブシュおよび連結ピンの構成は上述した従来の第１の態様の搬送用コンベヤチェーンと同様である。
そして、Ｏリングおよびシールプレートは、ブシュの内周面より外周側、かつ、外リンクプレートの内側面と内リンクプレートの外側面との間に配設され、ブシュと連結ピンとの間に充填したグリースをシールしていた。
【先行技術文献】
【特許文献】
【０００６】
【特許文献１】特開２００５−１３８９８０号公報
【特許文献２】特開２００７−１７０４９３号公報
【特許文献３】特開２００３−３１４６２８号公報
【発明の概要】
【発明が解決しようとする課題】
【０００７】
しかしながら、上述した従来の第１の態様の搬送用コンベヤチェーン５００は、非金属の粉粒状の搬送物を搬送するために潤滑油を使用できない環境下で使用されるものであり、ブシュ５３０の内周面５３２と連結ピン５４０の外周面５４２とが直接的に接触する構造であったため、ブシュ５３０と連結ピン５４０との間の摩耗により金属の摩耗粉が発生して搬送物に異物として混入する問題があった。
【０００８】
また、上述した従来の第２の態様の無給油チェーンは、ブシュの内周面と連結ピンの外周面との間に配設したグラファイトシートの摺動部材がブシュおよび連結ピンの少なくとも一方に対して摺動する構造であったため、非金属の粉粒状の搬送物を搬送するコンベヤに使用した場合、グラファイトシートで形成された摺動部材の摩耗によりグラファイトの摩耗粉が発生して搬送物に異物として混入する虞があった。
【０００９】
さらに、上述した従来の第３の態様の無給油チェーンは、Ｏリングおよびシールプレートでブシュと連結ピンとの間に充填したグリースをシールした構造であったため、非金属の粉粒状の搬送物を搬送するコンベヤに使用した場合、Ｏリングなどの劣化や脱落によりグリースが流出して搬送物に異物として混入する虞があった。
【００１０】
そこで、本発明は、前述したような従来技術の問題を解決するものであって、すなわち、本発明の目的は、グリースやオイルを使用せずにブシュと連結ピンとの間の摩耗による金属の摩耗粉の発生を抑制するとともに搬送物への異物混入を防止する搬送用無給油コンベヤチェーンを提供することである。
【課題を解決するための手段】
【００１１】
本請求項１に係る発明は、非金属の粉粒状の搬送物を搬送方向へ搬送するコンベヤの搬送用無給油コンベヤチェーンにおいて、前記搬送方向に対して左右一対に配設した内リンクプレートと、該内リンクプレートのブシュ孔にブシュ端部側を圧入するブシュと、前記左右一対の内リンクプレートの両外側にそれぞれ配設する左右一対の外リンクプレートと、前記ブシュに回転自在に挿通して外リンクプレートのピン孔にピン端部側を圧入する連結ピンと、該連結ピンとブシュとの間に配設した潤滑剤とを備え、該潤滑剤が、前記搬送物と同じ成分を有する粉粒体であり連結ピンとブシュとの間の隙間より小さい粒径で設けられていることにより、前述した課題を解決するものである。
【００１２】
本請求項２に係る発明は、請求項１に記載された搬送用無給油コンベヤチェーンの構成に加えて、前記内リンクプレートと外リンクプレートとの間に配設した金属特性を有する樹脂またはゴム製のＯリングが、前記連結ピンに挿通されているとともに、前記ブシュの内周面よりブシュ外周側で内リンクプレートおよび外リンクプレートと接触して設けられていることにより、前述した課題をさらに解決するものである。
【００１３】
本請求項３に係る発明は、請求項１または請求項２に記載された搬送用無給油コンベヤチェーンの構成に加えて、前記ブシュ端部が、前記内リンクプレートの外側面から外リンクプレート側に突出して設けられていることにより、前述した課題をさらに解決するものである。
【００１４】
本請求項４に係る発明は、請求項１乃至請求項３のいずれか１つに記載された搬送用無給油コンベヤチェーンの構成に加えて、前記潤滑剤の硬度が、前記連結ピンの硬度およびブシュの硬度より低く設けられていることにより、前述した課題をさらに解決するものである。
【００１５】
本請求項５に係る発明は、請求項１乃至請求項４のいずれか１つに記載された搬送用無給油コンベヤチェーンの構成に加えて、前記搬送物が、砂糖であり、前記潤滑剤が、前記砂糖の種類の中のグラニュー糖であることにより、前述した課題をさらに解決するものである。
【発明の効果】
【００１６】
本発明の搬送用無給油コンベヤチェーンは、非金属の粉粒状の搬送物を搬送方向へ搬送するコンベヤに用いられることにより、搬送物に動力を伝達して搬送物を搬送方向へ搬送することができるばかりでなく、以下のような特有の効果を奏することができる。
【００１７】
本請求項１に係る発明の搬送用無給油コンベヤチェーンによれば、搬送方向に対して左右一対に配設した内リンクプレートと、この内リンクプレートのブシュ孔にブシュ端部側を圧入するブシュと、左右一対の内リンクプレートの両外側にそれぞれ配設する左右一対の外リンクプレートと、ブシュに回転自在に挿通して外リンクプレートのピン孔にピン端部側を圧入する連結ピンと、この連結ピンとブシュとの間に配設した潤滑剤とを備え、この潤滑剤が、搬送物と同じ成分を有する粉粒体であり連結ピンとブシュとの間の隙間より小さい粒径で設けられていることにより、連結ピンの外周面とブシュの内周面とが直接的に接触せずに粉粒状の潤滑剤を介して間接的に接触するとともに直接的な接触と比べて接触面積が小さくなって摩擦抵抗が小さくなるため、グリースやオイルを使用せずに搬送用無給油コンベヤチェーンの動きをスムーズにしてブシュと連結ピンとの間の摩耗による金属の摩耗粉の発生を抑制できる。
さらに、潤滑剤が搬送物に混入した場合であっても潤滑剤と搬送物との成分が同じとなるため、搬送物への異物混入を防止できる。
また、内リンクプレートと外リンクプレートとの相対的な揺動に伴って潤滑剤が連結ピンの外周面とブシュの内周面との間で多少なりとも転がってボールベアリング構造となると考えられるため、グリースやオイルを使用せずに搬送用無給油コンベヤチェーンの動きをスムーズにしてブシュと連結ピンとの間の摩耗による金属の摩耗粉の発生を抑制できる。
【００１８】
本請求項２に係る発明の搬送用無給油コンベヤチェーンによれば、請求項１に係る発明が奏する効果に加えて、内リンクプレートと外リンクプレートとの間に配設した金属特性を有する樹脂またはゴム製のＯリングが、連結ピンに挿通されているとともに、ブシュの内周面よりブシュ外周側で内リンクプレートおよび外リンクプレートと接触して設けられていることにより、連結ピンの外周面とブシュの内周面との間の粉粒状の潤滑剤がブシュ端部側から出てきた場合であってもＯリングが潤滑剤をＯリング内側でとどめるため、Ｏリング外側への潤滑剤の流出を防止できる。
さらに、万が一Ｏリングが脱落した場合であっても金属特性を有する樹脂またはゴム製のＯリングは金属探知機で探知されるため、脱落したＯリングを搬送物中から除去できる。
【００１９】
本請求項３に係る発明の搬送用無給油コンベヤチェーンによれば、請求項１または請求項２に係る発明が奏する効果に加えて、ブシュ端部が、内リンクプレートの外側面から外リンクプレート側に突出して設けられていることにより、ブシュ端部が内リンクプレートから突出しない場合と比べ、ブシュ端部と外リンクプレートの内側面との間の間隔が狭くなって連結ピンの外周面とブシュの内周面との間の潤滑剤がブシュ端部側から流出しにくくなるため、連結ピンの外周面とブシュの内周面との間の潤滑剤の量を減りにくくできる。
【００２０】
本請求項４に係る発明の搬送用無給油コンベヤチェーンによれば、請求項１乃至請求項３のいずれか１つに係る発明が奏する効果に加えて、潤滑剤の硬度が、連結ピンの硬度およびブシュの硬度より低く設けられていることにより、連結ピンおよびブシュが潤滑剤よりも摩耗しにくくなるため、搬送用無給油コンベヤチェーンの寿命を延ばすことができる。
【００２１】
本請求項５に係る発明の搬送用無給油コンベヤチェーンによれば、請求項１乃至請求項４のいずれか１つに係る発明が奏する効果に加えて、搬送物が、砂糖であり、潤滑剤が、砂糖の種類の中のグラニュー糖であることにより、グラニュー糖の融点が摂氏約１８０度でチェーン駆動時ではグラニュー糖は粒状を維持するため、グリースやオイルを使用せずに搬送用無給油コンベヤチェーンの動きをスムーズにできるとともに搬送物への異物混入を防止できる。
さらに、グラニュー糖以外の小麦粉などの食品原料の粉粒体である他の成分の潤滑剤と比べて潤滑効果が高いため、特に搬送物がグラニュー糖をはじめとする砂糖である場合にグリースやオイルを使用せずに搬送用無給油コンベヤチェーンの動きをスムーズにできる。
また、グラニュー糖は砂糖の種類の中でショ糖純度の高いものであるため、潤滑剤としてのグラニュー糖が搬送物の砂糖に混入した場合であっても搬送物の純度が下がることを防止できる。
【図面の簡単な説明】
【００２２】
【図１】本発明の実施例である搬送用無給油コンベヤチェーンを用いたコンベヤの全体概略図。
【図２】本発明の実施例である搬送用無給油コンベヤチェーンの平面図および側面図。
【図３】本発明の実施例である搬送用無給油コンベヤチェーンの要部拡大一部断面平面図。
【図４】図３の符号４−４で視た側断面図。
【図５】従来の第１の態様のコンベヤチェーンの要部拡大一部断面平面図。
【発明を実施するための形態】
【００２３】
本発明は、非金属の粉粒状の搬送物を搬送方向へ搬送するコンベヤの搬送用無給油コンベヤチェーンにおいて、搬送方向に対して左右一対に配設した内リンクプレートと、この内リンクプレートのブシュ孔にブシュ端部側を圧入するブシュと、左右一対の内リンクプレートの両外側にそれぞれ配設する左右一対の外リンクプレートと、ブシュに回転自在に挿通して外リンクプレートのピン孔にピン端部側を圧入する連結ピンと、この連結ピンとブシュとの間に配設した潤滑剤とを備え、この潤滑剤が、搬送物と同じ成分の粉粒状で連結ピンとブシュとの間の隙間より小さい粒径で設けられていることにより、グリースやオイルを使用せずにブシュと連結ピンとの間の摩耗による金属の摩耗粉の発生を抑制するとともに搬送物への異物混入を防止するものであれば、その具体的な実施態様は、如何なるものであっても構わない。
【００２４】
例えば、コンベヤは、粉粒状の搬送物をバケットに入れて搬送するバケット式でもよいし、フライト板で粉粒状の搬送物を押して搬送するフライト式でもよいし、アタッチメントで搬送物を流体搬送するレドラー式でもよい。
また、搬送用無給油コンベヤチェーンは、ブシュの外周にローラを有するものでよく、有さないものでもよい。
搬送用無給油コンベヤチェーンの材質は、ステンレスなどの金属でもよいし、強化プラスチックなどの樹脂でもよい。
【実施例】
【００２５】
以下に、本発明の実施例である搬送用無給油コンベヤチェーン１００について、図１乃至図４に基づいて説明する。
ここで、図１は、本発明の実施例である搬送用無給油コンベヤチェーン１００を用いたコンベヤＣの全体概略図であり、図２（Ａ）は、本発明の実施例である搬送用無給油コンベヤチェーン１００の一部断面平面図であり、図２（Ｂ）は、図２（Ａ）の符号２Ｂから視た側面図であり、図３は、図２（Ａ）の符号３で示す箇所の要部拡大一部断面平面図であり、図４は、図３の符号４−４で視た側断面図である。
【００２６】
本発明の実施例である搬送用無給油コンベヤチェーン１００を用いたコンベヤＣは、図１に示すように、非金属の粉粒状の搬送物Ｍを、周回するコンベヤ送り方向Ｙのうちの片側での方向である搬送方向Ｙ１へ搬送するように構成されている。
具体的に、コンベヤＣは、コンベヤケースＣ１と、搬送用無給油コンベヤチェーン１００と、バケットＢと、排出口側スプロケットＳ１と、投入口側スプロケットＳ２とを備えている。
【００２７】
このうち、コンベヤケースＣ１の一端側には、投入口Ｃ２が配設されており、コンベヤケースＣ１の他端側には、排出口Ｃ３が配設されている。
また、コンベヤ送り方向Ｙに対して左右一対の搬送用無給油コンベヤチェーン１００が設けられている。
そして、左右一対の搬送用無給油コンベヤチェーン１００の間で多数のバケットＢがコンベヤ送り方向Ｙに配列され、多数のバケットＢの両端が左右一対の搬送用無給油コンベヤチェーン１００に支持されている。
さらに、搬送用無給油コンベヤチェーン１００は、駆動源となる排出口側スプロケットＳ１および従動回転する投入口側スプロケットＳ２に掛け回されている。
【００２８】
そして、投入口Ｃ２からコンベヤケースＣ１内に投入された粉粒状の搬送物Ｍは、多数のバケットＢに順次収容されて、排出口Ｃ３へ向けて垂直方向に搬送され、排出口Ｃ３から排出される。
この際、排出口側スプロケットＳ１が搬送用無給油コンベヤチェーン１００を図中左側の上方移動域から右側の下方移動域へ折り返しながら周回させ、バケットＢの上下姿勢が反転することにより、バケットＢ内の搬送物Ｍが先行するバケットＢの外側面を伝って排出口Ｃ３を介してコンベヤケースＣ１外に落下排出される。
【００２９】
続いて、搬送用無給油コンベヤチェーン１００について詳しく説明する。
本発明の実施例である搬送用無給油コンベヤチェーン１００は、図２乃至図４に示すように、搬送方向Ｙ１に対して左右一対に配設した内リンクプレート１１０と、この内リンクプレート１１０のブシュ孔１１１にブシュ端部１３１側を圧入するブシュ１３０と、左右一対の内リンクプレート１１０の両外側にそれぞれ配設する左右一対の外リンクプレート１２０と、ブシュ１３０に回転自在に挿通して外リンクプレート１２０のピン孔１２１にピン端部１４１側を圧入する連結ピン１４０と、この連結ピン１４０とブシュ１３０との間に配設した潤滑剤Ｍ１とを備えている。
【００３０】
さらに、この潤滑剤Ｍ１が、搬送物Ｍと同じ成分の粉粒状で連結ピン１４０とブシュ１３０との間の隙間Ｌ２ａ、Ｌ２ｂより小さい粒径Ｌ１で設けられている。
具体的に、潤滑剤Ｍ１の粒径Ｌ１は、連結ピン１４０とブシュ１３０との間に配設できる大きさであればよく、連結ピン１４０とブシュ１３０との間の隙間Ｌ２ａおよび同隙間Ｌ２ｂの和より小さければよい。
【００３１】
これにより、連結ピン１４０の外周面１４２とブシュ１３０の内周面１３２とが直接的に接触せずに粉粒状の潤滑剤Ｍ１を介して間接的に接触するとともに直接的な接触と比べて接触面積が小さくなって摩擦抵抗が小さくなる。
また、潤滑剤Ｍ１が搬送物Ｍに混入した場合であっても潤滑剤Ｍ１と搬送物Ｍとの成分が同じとあるので、そもそも、異物混入の問題が生じない。
さらに、搬送用無給油コンベヤチェーン１００の内リンクプレート１１０と外リンクプレート１２０との相対的な揺動に伴って潤滑剤Ｍ１が連結ピン１４０の外周面１４２とブシュ１３０の内周面１３２との間で多少なりとも転がってボールベアリング構造となると考えられる。
【００３２】
なお、本実施例では、ローラ１５０がブシュ１３０の外周に回動自在に配設されている。
また、外リンクプレート１２０は、搬送方向Ｙ１で所定間隔にバケットＢが取り付けられるバケット取り付け穴１２２を有している。
本実施例では、内リンクプレート１１０、外リンクプレート１２０、ブシュ１３０、連結ピン１４０およびローラ１５０が、一例として金属のステンレスで形成されている。
また、潤滑剤Ｍ１は、搬送用無給油コンベヤチェーン１００がコンベヤＣに使用される前段階で連結ピン１４０とブシュ１３０との間に配設されている。
【００３３】
さらに、内リンクプレート１１０と外リンクプレート１２０との間に配設した金属特性を有する樹脂またはゴム製のＯリング１６０が、連結ピン１４０に挿通されているとともに、ブシュ１３０の内周面１３２よりブシュ外周側で内リンクプレート１１０および外リンクプレート１２０と接触して設けられている。
これにより、連結ピン１４０の外周面１４２とブシュ１３０の内周面１３２との間の粉粒状の潤滑剤Ｍ１がブシュ端部１３１側から出てきた場合であってもＯリング１６０が潤滑剤Ｍ１をＯリング内側でとどめる。
さらに、万が一Ｏリング１６０が脱落した場合であっても金属特性を有する樹脂またはゴム製のＯリング１６０はコンベヤ内またはコンベヤ外に配設した図示しない金属探知機で探知される。
ここで、「金属特性を有する樹脂またはゴム製のＯリング」とは、金属成分を含む樹脂またはゴムで成形されたＯリングをいう。
つまり、一部の成分として金属成分を含み、樹脂またはゴムを主成分としたものである。
【００３４】
また、ブシュ端部１３１が、内リンクプレート１１０の外側面１１２から外リンクプレート１２０側に突出して設けられている。
これにより、ブシュ端部（１３１）が内リンクプレート（１１０）の外側面（１１２）から突出しない構成と比べて、ブシュ端部１３１と外リンクプレート１２０の内側面との間の間隔が狭くなって、連結ピン１４０の外周面１４２とブシュ１３０の内周面１３２との間の潤滑剤Ｍ１がブシュ端部１３１側から流出しにくくなる。
【００３５】
さらに、潤滑剤Ｍ１の硬度Ｈ１が、連結ピン１４０の硬度Ｈ２およびブシュ１３０の硬度Ｈ３より低く設けられている。
これにより、連結ピン１４０およびブシュ１３０が潤滑剤Ｍ１よりも摩耗しにくくなる。
また、本実施例では、搬送物Ｍが、グラニュー糖であり、潤滑剤Ｍ１が、搬送物Ｍと同じ成分のグラニュー糖で設けられている。
これにより、グラニュー糖の融点が摂氏約１８０度でチェーン駆動時ではグラニュー糖は粒状を維持して潤滑剤Ｍ１として優れた効果を発揮する。
さらに、グラニュー糖以外の小麦粉などの食品原料の粉粒体である他の成分の潤滑剤と比べて、原子等が空間的に規則正しく配列した結晶であり扁平した形状になりにくいことに加えて摩擦係数が小さくなって高い潤滑効果を発揮するので、搬送物Ｍがグラニュー糖である場合に特に有効である。
つまり、本実施例では、従来の図５に示す連結ピン５４０の外周面５４２とブシュ５３０の内周面５３２との摩擦係数、即ち、ステンレスとステンレスとの間の摩擦係数と比べて、連結ピン１４０の外周面１４２と潤滑剤Ｍ１との摩擦係数、即ち、ステンレスとグラニュー糖との間の摩擦係数、および、潤滑剤Ｍ１とブシュ１３０の内周面１３２との摩擦係数、即ち、グラニュー糖とステンレスとの間の摩擦係数が著しく小さくなって高い潤滑効果を発揮する。
さらに、グラニュー糖とステンレスとの間の摩擦係数が、グラニュー糖以外の小麦粉などの食品原料の粉粒体とステンレスとの間の摩擦係数と比べて、著しく小さくなって高い潤滑効果を発揮する。
【００３６】
このようにして得られた本発明の実施例である搬送用無給油コンベヤチェーン１００は、搬送方向Ｙ１に対して左右一対に配設した内リンクプレート１１０と、この内リンクプレート１１０のブシュ孔１１１にブシュ端部１３１側を圧入するブシュ１３０と、左右一対の内リンクプレート１１０の両外側にそれぞれ配設する左右一対の外リンクプレート１２０と、ブシュ１３０に回転自在に挿通して外リンクプレート１２０のピン孔１２１にピン端部１４１側を圧入する連結ピン１４０と、この連結ピン１４０とブシュ１３０との間に配設した潤滑剤Ｍ１とを備え、この潤滑剤Ｍ１が、搬送物Ｍと同じ成分の粉粒状で連結ピン１４０とブシュ１３０との間の隙間（Ｌ２ａおよびＬ２ｂの和）より小さい粒径Ｌ１で設けられていることにより、グリースやオイルを使用せずにブシュ１３０と連結ピン１４０との間の摩耗による金属の摩耗粉の発生を抑制するとともに搬送物Ｍへの異物混入を防止できる。
【００３７】
さらに、内リンクプレート１１０と外リンクプレート１２０との間に配設した金属特性を有する樹脂またはゴム製のＯリング１６０が、連結ピン１４０に挿通されているとともに、ブシュ１３０の内周面１３２よりブシュ外周側で内リンクプレート１１０および外リンクプレート１２０と接触して設けられていることにより、Ｏリング外側への潤滑剤Ｍ１の流出を防止できるとともに、万が一Ｏリング１６０が脱落した場合であっても脱落したＯリング１６０を搬送物Ｍ中から除去できる。
【００３８】
また、ブシュ端部１３１が、内リンクプレート１１０の外側面１１２から外リンクプレート１２０側に突出して設けられていることにより、ブシュ端部（１３１）が内リンクプレート（１１０）の外側面（１１２）から突出しない構成と比べて、連結ピン１４０の外周面１４２とブシュ１３０の内周面１３２との間の潤滑剤Ｍ１の量を減りにくくできる。
さらに、潤滑剤Ｍ１の硬度Ｈ１が、連結ピン１４０の硬度Ｈ２およびブシュ１３０の硬度Ｈ３より低く設けられていることにより、搬送用無給油コンベヤチェーン１００の寿命を延ばすことができる。
【００３９】
また、搬送物Ｍが、グラニュー糖であり、潤滑剤Ｍ１が、搬送物Ｍと同じ成分のグラニュー糖で設けられていることにより、グラニュー糖以外の小麦粉などの食品原料の粉粒体である他の成分の潤滑剤と比べて高い潤滑効果でオイルを使用せずに搬送用無給油コンベヤチェーン１００の動きをスムーズにしてブシュ１３０と連結ピン１４０との間の摩耗による金属の摩耗粉の発生を抑制できるなど、その効果は甚大である。
【符号の説明】
【００４０】
１００          ・・・  搬送用無給油コンベヤチェーン
５００  ・・・  （従来技術の）コンベヤチェーン
１１０、５１０  ・・・  内リンクプレート
１１１、５１１  ・・・  ブシュ孔
１１２          ・・・  （幅方向）外側面
１２０、５２０  ・・・  外リンクプレート
１２１、５２１  ・・・  ピン孔
１２２          ・・・  バケット取り付け穴
１３０、５３０  ・・・  ブシュ
１３１、５３１  ・・・  ブシュ端部
１３２、５３２  ・・・  内周面
１４０、５４０  ・・・  連結ピン
１４１、５４１  ・・・  ピン端部
１４２、５４２  ・・・  外周面
１５０、５５０  ・・・  ローラ
１６０          ・・・  Ｏリング
Ｂ              ・・・  バケット
Ｃ              ・・・  コンベヤ
Ｃ１            ・・・  コンベヤケース
Ｃ２            ・・・  投入口
Ｃ３            ・・・  排出口
Ｈ１            ・・・  潤滑剤の硬度
Ｈ２            ・・・  連結ピンの硬度
Ｈ３            ・・・  ブシュの硬度
Ｌ１            ・・・  潤滑剤の粒径
Ｌ２ａ、Ｌ２ｂ  ・・・  連結ピン外周面とブシュ内周面との間の隙間
Ｍ              ・・・  搬送物
Ｍ１            ・・・  潤滑剤（粉粒体）
Ｓ１            ・・・  排出口側スプロケット
Ｓ２            ・・・  投入口側スプロケット
Ｙ              ・・・  コンベヤ送り方向
Ｙ１            ・・・  搬送方向
【図１】
2014051386.tif 000003
【図２】
2014051386.tif 000004
【図３】
2014051386.tif 000005
【図４】
2014051386.tif 000006
【図５】
2014051386.tif 000007